(57)【要約】【課題】液体微細化装置とそれを用いたサウナ装置に関するもので、非微細化液体の排出のための配管施工を解消し、施工工事を簡単にすることを目的とするものである。【解決手段】吸込口４と排気口５を有する本体ケース６と、この本体ケース６の吸込口４と排気口５との間に設けた加熱手段７および送風手段８ａと、送風手段８ａと排気口５との間に設けた液体微細化手段９とを備え、液体微細化手段９は、回転手段１２として、上下方向に設けた回転軸１５と、この回転軸１５に所定間隔で連結した複数の回転板１６とを有している。上段の回転板には液体を下段の回転板に案内するための開口部と流路を設け、供給された液体を複数の回転板１６で配分して液体を微細化する。【選択図】図２
2010115302.tif 000002
【特許請求の範囲】
【請求項１】
吸込口と排気口を有する本体ケースと、この本体ケース内の前記吸込口と前記排気口とを結ぶ風路に設けた加熱手段および送風手段と、この送風手段と前記排気口間に設けた液体微細化手段とを備え、前記液体微細化手段は、回転手段と、この回転手段に液体を供給する液体供給手段とを有し、前記回転手段は、上下方向に向けて配置した回転軸と、この回転軸の軸方向に所定間隔で固定された複数の回転板とを有し、前記液体供給手段から液体が供給される上段の回転板には、下段の回転板に液体を配分するための開口部を設け、この開口部から前記下段の回転板に液体を案内する流路を設ける構成とした液体微細化装置。
【請求項２】
開口部は、回転軸を中心とした同心円上に複数個設けた請求項１に記載の液体微細化装置。
【請求項３】
同心円の半径は、液体供給手段から液体が供給される上段の回転板の半径の１／２以下である請求項２に記載の液体微細化装置。
【請求項４】
開口部は、隣接する開口部との間隔をほぼ均等に配置した請求項３に記載の液体微細化装置。
【請求項５】
開口部は、隣接する開口部との間隔の少なくともひとつを他の間隔より広く配置した請求項２または３に記載の液体微細化装置。
【請求項６】
開口部と隣接する開口部との間隔の総和の面積は、ひとつの開口部の面積とほぼ等しくした請求項４または５に記載の液体微細化装置。
【請求項７】
開口部の外縁に上方に向けて立ち上がり部を設けた請求項１から６のいずれか一つに記載の液体微細化装置。
【請求項８】
立ち上がり部は、回転軸の方向に傾斜する形状とした請求項７に記載の液体微細化装置。
【請求項９】
立ち上がり部は、回転軸の方向に湾曲する形状とした請求項７に記載の液体微細化装置。
【請求項１０】
立ち上がり部は、回転軸を中心とする同心円上に形成した請求項８または９のいずれか一つに記載の液体微細化装置。
【請求項１１】
立ち上がり部の切り欠きの長さの総和は、同心円の円周（Ｌ）を回転板の数（ｎ）で割った円弧（Ｌ／ｎ）の長さとほぼ等しい請求項１０に記載の液体微細化装置。
【請求項１２】
立ち上がり部を略Ｃ字状に連続して形成した請求項１１に記載の液体微細化装置。
【請求項１３】
回転手段は、複数の回転板と流路と立ち上がり部を樹脂により一体成形した請求項７から９のいずれか一つに記載の液体微細化装置。
【請求項１４】
液体微細化手段と排気口との間に、補助加熱手段を設けた請求項１から１３のいずれか一つに記載の液体微細化装置。
【請求項１５】
排気口に可動式のルーバを設けた請求項１から１４のいずれか一つに記載の液体微細化装置。
【請求項１６】
請求項１から１５のいずれか一つに記載の液体微細化装置をサウナ室に設置したサウナ装置。
【発明の詳細な説明】
【技術分野】
【０００１】
本発明は、液体微細化装置とそれを用いたサウナ装置に関するものである。
【背景技術】
【０００２】
例えば、サウナ装置に用いられる液体微細化装置の構成は、次のような構成となっていた。
【０００３】
すなわち、吸込口と排気口を有する本体ケースと、この本体ケース内の通気路に設けた加熱手段および送風手段と、この送風手段と排気口間に設けた微細化手段とを備え、前記微細化手段は、液体供給手段から液体を噴射させる構成となっていた（例えば特許文献１参照）。
【特許文献１】特開平６−６３１０３号公報
【発明の開示】
【発明が解決しようとする課題】
【０００４】
上記従来例で課題となるのは、ノズルから噴出された液体のうち、微細化できなかった液体を排出するために、サウナ室に配管を施工しなければならず、施工作業が煩雑になるということである。
【０００５】
すなわち、ノズルから液体を噴出して液体を微細化するタイプのものでは、液体を完全に微細化することができず、サウナ装置に残った大量の非微細化液体を処理するためにサウナ室に配管を延長して、この非微細化液体をサウナ室に排出するようになっている。このような配管をサウナ室に美観的に施工するのは非常に煩雑な作業となっている。
【０００６】
そこで本発明は、施工作業を簡単に行えるようにすることを目的とするものである。
【課題を解決するための手段】
【０００７】
そして、この目的を達成するために本発明は、吸込口と排気口を有する本体ケースと、この本体ケース内の前記吸込口と前記排気口とを結ぶ風路に設けた加熱手段および送風手段と、この送風手段と前記排気口間に設けた液体微細化手段とを備え、前記液体微細化手段は、回転手段と、この回転手段に液体を供給する液体供給手段とを有し、前記回転手段は、上下方向に向けて配置した回転軸と、この回転軸の軸方向に所定間隔で固定された複数の回転板とを有し、前記液体供給手段から液体が供給される上段の回転板には、下段の回転板に液体を配分するための開口部を設け、この開口部から前記下段の回転板に液体を案内する流路を設けた液体微細化装置とし、これにより、上記目的を達成している。
【発明の効果】
【０００８】
以上のように、本発明は、上段の回転板に、下段の回転板に液体を配分するための開口部を設け、この開口部から前記下段の回転板に液体を案内する流路を設ける構成としたことにより、液体供給手段により供給された液体を、下段の回転板に配分し、高速で回転する複数の回転板それぞれが分担して液体の微細化をおこなうことが可能となるので、液体微細化の効率が向上し、結果として、液体の微細化時に大量の排液が発生しないものとなる。
【０００９】
つまり、液体微細化手段による微細化終了時においては、複数の回転板それぞれに配分された液体は、それぞれの回転板において微細化されてしまうので、供給された液体のほぼすべてを微細化することができ、わずかな非微細化液体が風路内に付着したとしても、風路内で乾燥させることもできるので、非微細化液体を特別に排出する必要がなく、非微細化液体の排出のための配管施工を解消することができ、その結果として、施工作業が簡単になるという効果を奏する。
【発明を実施するための最良の形態】
【００１０】
以下、本発明の実施の形態について、図面を参照しながら説明する。
【００１１】
（実施の形態１）
図１は、本発明の実施の形態における液体微細化装置を用いたサウナ装置の斜視図であり、この図１に示すように、サウナ室１の天井面２には、液体微細化装置３が取り付けられている。なお、本実施の形態では、供給する液体は温水（水）であり、以下、液体は温水として説明する。
【００１２】
液体微細化装置３は、図２に示すように、吸込口４と排気口５を有する本体ケース６と、この本体ケース６内において吸込口４と排気口５との間の風路に設けた加熱手段７および送風手段８ａと、この送風手段８ａと排気口５との間に設けた液体微細化手段９とを備えている。
【００１３】
送風手段８ａはケーシング１０ａを備え、液体微細化手段９は、筒状の経路１１と、この筒状の経路１１の内部に備えた回転手段１２と、この回転手段１２に温水を供給する液体供給手段１３と、回転手段１２を駆動するモータ１４とを備えている。
【００１４】
回転手段１２は、モータ１４の下側に連結され、上下方向に向けて配置した回転軸１５と、この回転軸１５の軸方向に所定の間隔で固定された複数の回転板１６とを有している。回転軸１５は、モータ１４の下側から本体ケース６の下面に向かって垂直方向に延び、下端には保持部（図示せず）を備えている。
【００１５】
回転手段１２と排気口５との間には、補助加熱手段１７を備え、排気口５には、可動式のルーバ１８を設けている。
【００１６】
図３に示すように、ケーシング１０ａおよび筒状の経路１１は、ケーシング１０ａの吹出し口が筒状の経路１１の上部に連結されて一体に成形され、排気口５へと連通する風路１９を形成している。また、送風手段８ａの背面側には、送風手段８ｂと、この送風手段８ｂのケーシング１０ｂとを備え、ケーシング１０ｂの吹出し口は排気口５と連結されて、排気口５へ連通する風路２０を形成している。加熱手段７は本体ケース６の吸込口４の上方に配置され、ケーシング１０ａおよびケーシング１０ｂは、加熱手段７の上で開口するように配置されている。
【００１７】
次に、図４および図５を用いて回転手段１２について説明する。
【００１８】
本実施の形態では、複数の回転板１６ａ−１６ｊを備える構成とする。回転板１６ａ−１６ｊは、図４（ａ）（ｂ）に示すように、回転軸１５の挿入孔２１を有する円柱状又は円筒状の中心部２２を共有し、この中心部２２の軸方向に所定の間隔で１０段の回転板１６ａ−１６ｊを設けている。複数の回転板１６ａ−１６ｊは、中心部２２の挿入孔２１に回転軸１５を挿着すると、回転軸１５と一緒に回転する構成としている。
【００１９】
最上段の回転板１６ａは、液体供給手段１３から温水が供給される中心部２２の上端面と水平に連結されており、中心部２２の上端面の外周側に複数の開口部２３を設けている。
【００２０】
最上段の回転板１６ａに設けられる開口部２３は、図５に示すように、回転軸１５を中心とする同心円上に環状に配置され、その数は少なくとも、複数の回転板１６の数（ｎ）より１少ない数（ｎ−１）とする。本実施の形態では、複数の回転板１６の数（１０）より１少ない数（１０−１）、すなわち、９つの開口部２３を設ける構成としている。
【００２１】
再び図４（ａ）（ｂ）に戻って説明を続けると、開口部２３の外縁には立ち上がり部２４を設けている。
【００２２】
立ち上がり部２４は、図４（ｂ）に示すように、一端が開口部２３の外縁に固定され、他端が上方に向かって立ち上がり、回転軸１５に向かって傾斜、または、湾曲する形状としている。立ち上がり部２４は、図５（ａ）に示すように、少なくとも開口部２３の面積の上方１／２を覆うように構成している。
【００２３】
図４（ｂ）に示すように、開口部２３の下方には、下段の回転板１６ｂ−１６ｊそれぞれに温水を案内する流路２５が形成されている。本実施の形態では、流路２５は中心部２２の側面と、開口部２３と隣接する開口部２３との間を仕切る仕切部２６と、開口部２３の外縁から下方へと延びる内壁２７によって四方の壁が形成されている。流路２５の２つの壁を形成する、対向する２つの仕切部２６は、温水が案内される各回転板１６ｂ−１６ｊ上面に直交している。内壁２７の背面には、温水が案内される所定の回転板（１６ｂ−１６ｊのひとつ）より上段に位置する回転板が連結され、内壁２７の下端には、温水が案内される所定の回転板より一段上の回転板（１６ａ−１６ｉのひとつ）が連結されている。
【００２４】
回転手段１２を構成する、複数の回転板１６ａ−１６ｊ、中心部２２、立ち上がり部２４、仕切部２６および内壁２７は、親水性を有する樹脂によって一体に成形している。なお、親水性を有する樹脂とは、その上面を、例えば、粗面化し、親水性を付与した状態のものも含む。
【００２５】
以上の構成において、次に動作を説明する。
【００２６】
サウナ室１内において、サウナを使用する場合、まず、図示していないガス湯沸かし器や電気温水器等の熱源から、図１に示すパイプ３０を介し、図２に示す加熱手段７に温水（水）が供給される。また、この温水の一部は、液体供給手段１３へと供給される。液体供給手段１３に供給される温水は、極めて少量であって、この時点では、液体供給手段１３から排出されていない。
【００２７】
この状態で、加熱手段７が運転され、送風手段８ａが駆動されると、送風手段８ａが吸込口４を介してサウナ室１内の空気を吸い込み、吸い込まれた空気は加熱手段７によっておよそ摂氏８０度になるまで加熱される。加熱された空気は、送風手段８ａによって、ケーシング１０ａを介して、筒状の経路１１の内部へと送られる。この空気の流れは図３に示す風路１９を経由する。
【００２８】
このときモータ１４が運転され、筒状の経路１１の内部で回転手段１２の回転軸１５が高速で回転し、それにともない複数の回転板１６ａ−１６ｊが高速で回転される。
【００２９】
ここで、液体供給手段１３は、高速回転する回転板１６ａの中心部２２の上端面に温水を供給する。回転板１６ａの中心部２２の上端面に供給された温水は、高速回転による遠心力によって外周方向に向かって高速で薄膜状に広がる。薄膜状になった温水は、中心部２２から開口部２３と隣接する開口部２３との隙間、すなわち、仕切部２６の上端面を経由して回転板１６ａの外縁方向に運ばれる。開口部２３の外周側へと運ばれた温水は、高速回転の遠心力により回転板１６ａの上面において高速でさらに薄い膜状に広がり、回転板１６ａの外周縁から接線方向へと高速で吹き飛ばされて、温水の微細化が行われる。この回転板１６ａ上の温水の流れは、図５（ａ）に点線Ａで示されるものである。
【００３０】
一方、中心部２２の上端面において薄膜状に広がった温水の大部分は、中心部２２の外周側に設けた開口部２３に流れ落ちる。また、中心部２２の上端面に供給された温水の一部は、高速回転の遠心力によって、中心部２２の外周縁から高速で、立ち上がり部２４に衝突する。立ち上がり部２４は、回転軸１５の方向に傾斜あるいは湾曲し、少なくとも開口部２３の面積の上方１／２を覆うように構成しているので、吹き飛ばされた温水のほとんどがこの立ち上がり部２４に衝突し、衝突した温水の飛散方向が下方に屈折されて、立ち上がり部２４の下方に配置されている開口部２３へと飛び込んでいく。
【００３１】
開口部２３へと流れ落ちた、又は、飛び込んだ温水は、流路２５を介して下段の回転板１６ｂ−１６ｊそれぞれの上面へと運ばれる。下段の回転板１６ｂ−１６ｊの上面へと案内された温水は、高速回転の遠心力によって外周方向へと薄膜状に広がって、回転板１６ｂ−１６ｊそれぞれの外周縁から接線方向へと高速で吹き飛ばされ、温水の微細化が行われる。下段の回転板１６ｂ−１６ｊのそれぞれに案内される温水の流れは、図５（ｂ）に矢印付実線Ｂ−Ｊに示されるものである。
【００３２】
回転板１６ａ−１６ｊの外周縁から高速で吹き飛ばされた霧状の温水の一部は、筒状の経路１１の内壁に衝突して破砕され、さらに温水の微細化が加速される。また、筒状の経路１１の内壁に衝突して破砕された水滴は、この衝突により再び筒状の経路１１内で三次元的な方向に飛び散り、高速回転する複数の回転板１６に再び衝突して破砕され、温水の微細化がさらに促進される。
【００３３】
上記のように温水の微細化が進むと、筒状の経路１１における気化作用により、微細化された霧状の温水を含む空気の温度は低下するが、この霧状の温水を含む空気は、補助加熱手段１７により加熱されて、再び温度が上昇し、温かい湿った空気となって排気口５へと送られる。
【００３４】
一方、液体微細化手段９の運転と同時に、図３に示す送風手段８ｂが駆動されると、送風手段８ｂが吸込口４を介してサウナ室１内の空気を吸い込み、吸い込まれた空気は加熱手段７によっておよそ摂氏８０度になるまで加熱される。この高温の乾燥空気は、送風手段８ｂによって、ケーシング１０ｂを介して、すなわち、図３に示す風路２０を経由して、排気口５へと送られる。
【００３５】
このとき、送風手段８ａから風路１９を経由して送られる温かい湿った空気と、送風手段８ｂから風路２０を経由して送られた高温の乾燥空気とは、排気口５で混合されてサウナ室１へ排出されることとなる。
【００３６】
以上のような構成と動作により、本実施の形態の液体微細化装置３においては、最上段の回転板１６ａの中心部２２の上面に供給された温水が、高速回転の遠心力により、開口部２３および流路２５を介して、下段の回転板１６ｂ−１６ｊに配分されることによって、複数の回転板１６ａ−１６ｊそれぞれの上面で、分担して温水を霧化することが可能となるため、装置に供給した温水のほぼすべてを効率良く微細化することができるという効果を奏する。
【００３７】
したがって、送風手段８ａと回転手段１２の回転および液体供給手段１３からの給水を停止し、このサウナ運転を中断あるいは停止した時点では、液体供給手段１３からそれまでに供給された温水は、高速回転する複数の回転板１６ａ−１６ｊが分担して行う液体微細化作用によって、ほぼすべて微細化されてしまう。また、仮に微細化されない温水が筒状の経路１１の内側に付着したとしても、これらは加熱手段７や補助加熱手段１７によって加熱された空気の残熱によって乾燥されるため、液体微細化装置３から外部へ排出する必要がない。このように、本実施の形態の液体微細化装置３によれば、微細化できなかった温水を排水として処理するための配管施工の工事が不要となり、結果として、サウナ装置の施工作業が簡単になるという効果を奏する。
【００３８】
また、上述のとおり、複数の開口部２３を回転軸１５を中心とした同心円上に設けたことにより、高速回転の遠心力によって、中心部２２に供給された温水が外周方向へと広がるので、これらの複数の開口部２３を介して、温水を確実に下段の回転板１６ｂ−１６ｊへ配分することが可能となるという効果を奏する。
【００３９】
さらに、開口部２３を配置した同心円の半径を、液体供給手段１３から温水が供給される最上段の回転板１６ａの半径の１／２以下とすることにより、最上段の回転板１６ａおよび下段の回転板１６ｂ−１６ｊの上面において温水を薄膜状に広げるための十分な面積を確保することが可能となり、供給した温水の微細化を促進することが可能となる。
【００４０】
また、開口部２３は、隣接する開口部２３との間隔がほぼ均等になるように配置することにより、中心部２２の上端面に供給された温水が、高速回転の遠心力で広がって、ほぼ均等に開口部２３に流れ落ちるので、温水を下段の回転板１６ｂ−１６ｊそれぞれに、ほぼ均等に配分して分担して霧化させることが可能となり、液体微細化効率を向上するという効果を奏する。
【００４１】
さらに、開口部２３と隣接する開口部２３との間隔の総和の面積、すなわち、複数の仕切部２６の上端の面積の総和が、一つの開口部２３の面積とほぼ等しくなるように構成すると、仕切部２６の上端面を経由し、最上段の回転板１６ａによって微細化される温水の分量と、下段の回転板１６ｂ−１６ｊのそれぞれにおいて微細化する温水の分量とをほぼ等しくすることが可能となり、供給された温水を、すべての回転板１６ａ−１６ｂで、ほぼ均等に分担して温水を霧化させることが可能となり、液体微細化効率が向上するという効果を奏する。
【００４２】
また、開口部２３の外縁に上方に向けて立ち上がり部２４を設けたことにより、高速回転の遠心力によって、中心部２２の上端面から高速で外周方向に飛散する温水の大部分がこの立ち上がり部２４に衝突して堰きとめられるため、供給された温水が過剰に回転板１６ａの外周側へ広がるのを防ぎ、温水を、開口部２３と流路２５を介して下段の回転板１６ｂ−１６ｊへ確実に案内し、霧化させることが可能となるという効果を奏する。
【００４３】
また、立ち上がり部２４は、回転軸１５の方向に傾斜する形状とした場合ことにより、高速回転の遠心力によって中心部２２の上端面の外縁から微細化されない温水が飛散しても、立ち上がり部２４に衝突された非微細化液体の飛散方向が下方に屈折して、より確実に開口部２３へと落ちることになり、筒状の経路１１内部に非微細化液体が付着するのを防ぐという効果を奏する。
【００４４】
さらに、立ち上がり部２４は、回転軸の方向に湾曲する形状とし、少なくとも、開口部２３の面積の上部１／２を覆う形状とすることにより、中心部２２の上端面の外縁から微細化されない温水が上方に飛散したとしても、衝突した非微細化液体をより確実に開口部２３へとなる上、筒状の経路１１内部や、モータ１４に非微細化液体が付着するのを防ぐという効果を奏する。
【００４５】
また、上述のとおり、回転手段１２は、複数の回転板１６ａ−１６ｊ、中心部２２、立ち上がり部２４、仕切部２６および内壁２７は、加工がしやすく、親水性を有する樹脂により一体に成形していることにより、比較的撥水性が高い金属で成形する場合に比べて、供給された温水が遠心力によってその上面で薄膜状に広がりやすく、温水の微細化効率を向上するという特性を有する。
【００４６】
さらに、液体微細化手段９と排気口５との間に、補助加熱手段１７を設けた構成としたことにより、液体微細化手段９における気化作用によって温度が低下してしまった微細化液体を含んだ湿った空気を、排気口５からサウナ室１に排出される前に加熱することによって、サウナ室１へ供給する蒸気の温度を効率良く上昇させることが可能となり、本装置をサウナ装置として使用する場合に運転性能が向上するという効果を奏する。また、微細化液体を含んだ空気の温度の低下によって、筒状の経路１１の内部で結露が生じやすくなるのを防止するという効果を奏する。
【００４７】
また、排気口５に可動式のルーバ１８を設けたことにより、このサウナ運転を中断あるいは停止した場合に、可動式のルーバ１８を可動して排気口５を閉じれば、仮に微細化されない温水が筒状の経路１１に残った場合であっても、サウナ室１に非微細化液体が排出されることはなく、液体微細化装置３の内部において、加熱手段７または補助加熱手段１７によって加熱された空気の残熱によって乾燥されるという効果を奏する。
【００４８】
なお、本実施の形態では、供給される温水は熱源から供給された温水としたが、必ずしもその必要はなく、水であってもよい。
【００４９】
（実施の形態２）
以下、本発明の実施の形態２について、図６から図８を参照しながら説明する。
【００５０】
なお、実施の形態１の構成と同一の構成については、同一の符号を参照し、その説明を簡略化する。
【００５１】
本実施の形態においては、図６（ａ）に示すように、最上段の回転板１６ａに設けた開口部２３と隣接する開口部２３との間隔の少なくともひとつを、他の開口部２３間の間隔より広くして、開口部２３を回転軸１５を中心とする同心円上に略Ｃ字状に配置し、開口部２３の外縁を結ぶ同心円上に、略Ｃ字状の立ち上がり部２８を設ける構成とした。
【００５２】
図７（ａ）に示すように、略Ｃ字状に設けた立ち上がり部２８の切り欠きには、中心部２２の上端面に供給された温水を開口部２３の外周側、すなわち、回転板１６ａの上面全体に案内するための通路２９を備えている。
【００５３】
通路２９の面積は、開口部２３の開口面積と、隣接する開口部２３とを仕切る仕切部２６の上端面の面積を加算した面積とほぼ等しくなっている。
【００５４】
立ち上がり部２８は、一端が回転板１６ａの開口部２３の外縁を結ぶ同心円上に固定され、多端が上方に向けて立ち上がり、回転軸１５に向けて傾斜または湾曲する構成としている。立ち上がり部２８は、少なくとも開口部２３の上部１／２を覆う形状とする。
【００５５】
回転手段１２を構成する、複数の回転板１６ａ−１６ｊ、中心部２２、仕切部２６、内壁２７、立ち上がり部２８および通路２９は、親水性を有する樹脂によって一体に成形している。
【００５６】
以上のような構成で、動作を説明すると、中心部２２の上端面に供給された温水は、高速回転による遠心力によって外周方向に向かって高速で薄膜状に広がり、この薄膜状の温水の一部は、通路２９を経由して、回転板１６ａの外周側全体に広がる。中心部２２の上端面から回転板１６ａの上面全体への温水の流れは、図８に点線Ａで示されている。
【００５７】
また、中心部２２の上端面において高速で薄膜状に広がった温水の大部分は、開口部２３へと流れ落ちる。一方、仕切部２６の上端面を伝って外周方向に流れた温水は、立ち上がり部２８に衝突し、近隣の開口部２３へと流れ落ちる。また、中心部２２の外周縁から高速で吹き飛ばされた温水の一部も、立ち上がり部２８に衝突し、下方に設けている開口部２３へと飛び込んでいく。
【００５８】
立ち上がり部２８は、回転軸１５の方向に傾斜あるいは湾曲し、少なくとも開口部２３の面積の上部１／２を覆うように構成しているので、仕切部２６の上端面を勢い良く流れて衝突した温水や、中心部２２の外縁から高速で吹き飛ばされた水滴のほぼすべてが、この立ち上がり部２８に衝突して塞き止められ、温水の流れあるいは飛散の方向が衝突により下方に修正されて、開口部２３へと案内される。
【００５９】
以上のように、本実施の形態の液体微細化装置３においては、最上段の回転板１６ａの開口部２３と隣接する開口部２３との間隔の少なくともひとつを他より広くして通路２９を設け、開口部２３を回転軸１５を中心とする同心円上に略Ｃ字状に配置したことにより、図７（ｂ）において矢印付実線Ａ−Ｊに示すように、供給された温水を回転板１６ａから回転板１６ｊに配分して、回転板１６ａ−１６ｊそれぞれの上面で分担して温水を霧化することが可能となるため、装置に供給した温水を効率良く微細化することができるという効果を奏する。
【００６０】
また、立ち上がり部２８を、開口部２３の外縁を結ぶ同心円上に、略Ｃ字状に形成したことにより、供給された温水が最上段の回転板１６ａの外周側に過剰に広がるのを防ぎ、回転板１６ａの上面で微細化する温水の分量と、下段の回転板１６ｂ−１６ｊのそれぞれにおいて微細化する温水の分量とがほぼ等しくなるように配分することができるので、供給された温水を、すべての複数の回転板１６ａ−１６ｂで、ほぼ均等に分担して温水を霧化させることが可能となり、液体微細化効率が向上するという効果を奏する。
【産業上の利用可能性】
【００６１】
以上のように、本発明の液体微細化装置は、複数の回転板に液体を配分して、効率よく、ほぼ完全に微細化することが可能となるため、微細化されなかった液体を特別に排出しなくても自然に乾燥させることもできるので、排液手段を別途設ける必要のないものとなる。
【００６２】
したがって、例えば、サウナ装置、加湿装置、冷却装置、噴霧装置、洗浄装置、植物育成設備等への活用が期待される。また、温水だけでなく、油や洗剤等のその他の液体の微細化設備にも利用することが可能である。
【図面の簡単な説明】
【００６３】
【図１】実施の形態１における液体微細化装置を用いたサウナ装置の斜視図
【図２】同液体微細化装置の断面構成図
【図３】同液体微細化装置の斜視図
【図４】（ａ）同液体微細化装置の回転板の拡大斜視図（ｂ）一部切欠拡大斜視図
【図５】（ａ）同液体微細化装置の回転板の拡大平面図（ｂ）拡大平面図
【図６】（ａ）実施の形態２における液体微細化装置の回転板の拡大斜視図（ｂ）一部切欠拡大斜視図
【図７】（ａ）同液体微細化装置の回転板の拡大平面図（ｂ）拡大平面図
【図８】同液体微細化装置の回転板の拡大平面図
【符号の説明】
【００６４】
４    吸込口
５    排気口
６    本体ケース
７    加熱手段
８ａ  送風手段
９    液体微細化手段
１１  筒状の経路
１２  回転手段
１３  液体供給手段
１４  モータ
１５  回転軸
１６  複数の回転板
１７  補助加熱手段
１８  ルーバ
２２  中心部
２３  開口部
２４  立ち上がり部
２５  流路
２６  仕切部
２７  内壁
２８  立ち上がり部
２９  通路
【図１】
2010115302.tif 000003
【図２】
2010115302.tif 000004
【図３】
2010115302.tif 000005
【図４】
2010115302.tif 000006
【図５】
2010115302.tif 000007
【図６】
2010115302.tif 000008
【図７】
2010115302.tif 000009
【図８】
2010115302.tif 000010